(57)【要約】【課題】プラダンを用いて工作物を作るには、接着が難しく、折り曲げも容易に加工することはできず、工作物として利用することは出来なかった。【解決手段】  プラダンのリブの間には剛性を持ち、屈曲自在な特性を有する線材を通して折り曲げる手段とプラダンを曲げる内側のプレートを切り取って、リブに直角に折り曲げる手段並びにプラダンの曲げる内側のプレートを切り取って、リブに平行に折り曲げる手段を夫々組み合わせて用いたプラダン工作物。【選択図】図１
2018108862.tif 000002
【特許請求の範囲】
【請求項１】
プラダンのリブの間には剛性を持ち、屈曲自在な特性を有する線材を通して折り曲げる手段とプラダンを曲げる内側のプレートを切り取って、リブに直角に折り曲げる手段並びにプラダンの曲げる内側のプレートを切り取って、リブに平行に折り曲げる手段を夫々組み合わせて用いたプラダン工作物。
【請求項２】
折り曲げたプラダンの内側に、プラダン又は合板を挟み込んだ棚板請求項１を用いたプラダン工作物。
【請求項３】
線材としてアルミ線とした請求項１を用いたプラダン工作物
【発明の詳細な説明】
【技術分野】
【０００１】本発明は、プラダンにアルミ線を併用し、これまで作れなかった製作物の加工を可能にして、折り目の付け方を工夫し、鑑賞価値の高い製作物を作る工作物に関するものである。
【背景技術】
【０００２】従来、段ボール箱と同じ方法で、プラダンにプレスで折り目を付けて曲げ、ハトメやホッチィキスで止めていた。
【発明の概要】
【発明が解決しようとする課題】
【０００３】それには次のような問題があった。
（イ）プラダンはポリプロピレン樹脂でできた段ボールである。接着が出来ない材質である。面と面の接合は熱や超音波による溶着か、鋲やホッチキスで止めるか、粘着系接着剤や強力両面テープを使う方法が用いられている。しかし、接合面が小さいと接合が出来ないので作れる工作物が限られていた。
また折り目を付けると曲げられるが、箱状にしなければ折り曲げた角度を固定出来ない。
（ロ）日用品や工芸品の製作おいて、段ボール箱と同じ方法で折り曲げると、鑑賞価値の低い製作物しか作れない。
本発明は、以上の問題を解決するためのものである。
【課題を解決するための手段】
【０００４】プラダンのリブの間には剛性を持ち、屈曲自在な特性を有する線材を通して折り曲げる手段とプラダンを曲げる内側のプレートを切り取って、リブに直角に折り曲げる手段並びにプラダンの曲げる内側のプレートを切り取って、リブに平行に折り曲げる手段を夫々組み合わせて用いたプラダン工作物。
【発明の効果】
【０００５】プラダンは清潔で、耐水が有り、軽く、ローコストで、長持ちする魅力的な材料で有る。
製造現場ではパッケージや敷板や養生用シート等に広く使用されているが、一般の工作には接着の難しさも有って、あまり使用されていない。
本発明はプラダンに剛性を持ち、屈曲自在な特性を有する線材を併用する事で問題を解決した。身近な工作物が簡単に作れるようになった。発想次第で今まで作れなっかた工作物が作れる様になった。
子供達の工作として、鉛筆立てや貯金箱、写真立、本立て、飾り棚、整理箱、小鳥の巣箱など創作的な作品が作れるようになった。又、家庭では整理棚やごみ箱、雑貨入れ、愛犬の家等が出来る。
【図面の簡単な説明】
【０００６】
【図１】  本発明のやり方で製作した完成斜視図
【図２】  本発明の図１の部品の斜視図。
【図３】  本発明の基本の手法を示す斜視図
【図４】  本発明の基本の手法を示す斜視図
【図５】  本発明のやり方を示す斜視図
【図６】  本発明のやり方を示す断面図
【図７】  本発明の完成の使用状態を示した斜視図
【図８】  本発明の図７の加工方法を示す展開図
【図９】  本発明のやり方で製作した完成斜視図
【図１０】  本発明で製作出来る基本の形状を示す斜視図
【図１１】  本発明のやり方で製作した完成斜視図
【図１２】  本発明で製作出来る基本の形状を示す斜視図
【図１３】  本発明のやり方で製作した完成斜視図
【図１４】  本発明で製作出来る基本の形状を示す斜視図
【発明を実施するための形態】
【０００７】以下、本発明の実施の形態について説明する。
プラダンの正式名称はプラスチック段ボールシートである。スタンダードの板の厚みは１．５〜７ｍｍである。本発明では厚み４ｍｍ又は５ｍｍの板を使用する。図６に示すように、プラダンは二枚のライナー（板表面）とその間にあるリブ（中空部分の柱の部分）で構成されている。
図４に示めすように、リブとリブの中空部分に剛性を持ち、屈曲自在な特性を有する線材を用いて、プラダンの折り曲げる角度を固定する方法である。本発明の実施例としてアルミ線材を用いた例で示す。アルミ線の線径は２．５ｍｍ〜３．５ｍｍを使用する。アルミ線の塑性でプラダンの曲げる角度を固定するので、線径は工作物の大きさや荷重を考えて適切な太さの物を使用する。
子供達が作る小さな工作物は線径２．５ｍｍが適当、図９に示す避難所用つい立てのような大きな工作物には３．２ｍｍが適当です。
この手法を用いることにより、図４に示すＬ字型の形状や図１４に示すコの字型の形状や図１０に示す多角形の筒の形状を持つ工作物が簡単に作れる。
（イ）図４に示すＬ字型の形状を持つ工作物を紹介する。
１  本箱等の仕切りや卓上の小さな表示板が出来る。
２  図４の基本の形状を用いて、図９のような避難所やイベント用のつい立てが出来る。
（高さ９２ｃｍ  巾約１５０ｃｍ）  このつい立ては強度が必要なので、折り曲げ方法はプレスによるＤの手法を使い、アルミ線は線径３．２ｍｍを使う。予算的に可能なら板厚５ｍｍのプラダンを使う方が良い。
つい立ては使用する時に折り曲げる。保管場所をあまり取らない。１００枚保管しても畳１枚分でよく、折り曲げて並べると１５０ｍの壁が出来る。この様に後で曲げる時は、運搬中の振動でアルミ線の位置がズレたり脱落しない様に粘着性接着剤で軽く固定する必要がある。
３  図１３に示す写真立の作り方
符号８の様に写真を取り付ける窓を切り抜きフレームを作る。その上部を図１２のＡの手法で折り曲げて符号１０のベースを作る。さらにベースにＣの手法でアルミ線を入れて折り曲げると写真立が出来る。
写真をフレームの裏側にテープで軽く止め、フレームとベースを密着させＵピンをフレームとベースのそれぞれのリブの間に差し込み固定する。Ｕピンはアルミ線で作る。
４  図４に示す手法で屏風のように折り曲げると、ビンや缶の転がり防止や引き出しの底板として使用できる。
（ロ）図１４に示すコの字型の基本の形状を用いた工作物を紹介する。
１  引出の仕切りとして利用できる。
２  整理棚の作り方。
図１４に示す門型のブロックを何個か製作する。（図１４の形を上下反転したもの）積み木の様に自由に組み替えられる整理棚が出来る。上と下のブロックを固定する方法は、ブロックの四隅のリブの間にアルミ線を通し串刺しにする。
（ハ）多角形の筒を用いて出来る製作物を紹介する。
１  鉛筆立て、貯金箱、ごみ箱、の作り方を紹介する。
五角形や六角形の筒を作り底板を取り付ける。底板の取り付け方は、約１ｃｍ巾のプラダンを筒の内側にＰＰ用両面テープで貼る。底板が落下しない様にする為です。
図１０の符号６のフイルムは、筒にしたプラダンの両端を接合すものである。
厚み０．３ｍｍ  の透明のフイルムを使用する。プラスチィク用両面テープで貼り合わす。
マスキングテープや添付シール等で装飾をすると面白い作品が作れる。
小さな子供達が工作する時、カッターナイフの使用は危険なので型抜きしたプラダンとアルミ線と接続フィルム等をキットにして支給すると良い。
２  状差し、新聞受けの作り方
四角形又は六角形の相対する辺の長さを長くした筒を作り、底板を取り付けると状差しや新聞受けが出来る。
３  プラダンで筒を作る時の折り目の付け方を説明する。
折り目を平行に付ける。正確に平行が出ていないと、筒にした時接合部が綺麗に合わない。
ハンドメイドの時は、作業台の手前に高さ５〜７ミリの桟を取り付けて、プラダンを桟に当てがい、その上に三角定規を乗せて桟に沿わせて定規を滑らしながら切込みを入れると平行に折り目が付けられる。プラダン工作に於いて作業台は絶対必要です。
Ａ４サイズより少し大きいベニヤ板（厚み６〜１０ｍｍ）に桟を取り付けて作ると良い。
４  アルミ線を入れて折り曲げる時の注意点を説明する。
プラダンの端にアルミ線の端を合わせて曲げると、曲げるごとに少しずつアルミ線がプラダンの外に押し出される。アルミ線はプラダンの端より１〜２センチ中に入れて折り曲げる。
何度も折り曲げる時は、中央部から折り曲げると良い。
５  小型犬の家や野鳥の巣箱の作り方
一辺の長さを一か所だけ１．８倍位長くした不等辺五角形の筒を作る。繋ぎ目になる辺が長くなるように作る。その繋ぎ目の有る面を下にして寝かせると、犬小屋の三角屋根と側面の壁と床面が折り曲げただけで出来る。床面に乗せられる寸法で、図１４に示すコの字型のトレーを作る。トレーの立ち上がった面が筒の開口部に来るように作り、立ち上がった面はＡの手法で内側に折り曲げる。トレーを入れると愛犬の家が出来る。
トレーに敷物を敷き、屋根と壁に両面テープでクロスを貼るとオリジナルの犬小屋が出来る。
野鳥の巣箱も同じ手法で作れる。
６  ワインボックスの作り方
図１０に示す六角形の筒に底を取り付けて、３個の筒をハチの巣状に組合せて固定し、斜めに傾けるとおしゃれなワインボックスが出来る。筒の外周にコルクを両面テープで張り、流木や焼き杉丸太半割れを枕にして乗せるとアンティークなワインボックスが出来る。
７  六角形の筒を用いたアウトドア用椅子兼テーブルの工作方法を説明する。
高さが３０センチ位で一辺が１５ｃｍの六角形の筒を作る。その中にピッタリ入る六角形の筒をもう一個作る。中に入れて二重にすると強度が増す。その上に板を乗せれば椅子になる。
外側と内側の筒を横に並べて板を乗せればテーブルになる。内側の六角形の筒だけに底を付けると移動する時、食材等を入れて運ぶことが出来る。
このアウトドア用品を作る時は、厚さ５ｍｍのプラダンを使う。
アルミ線は３．２ｍｍを用いる。図１０の筒の接合部は中央で突き合わせて継いでいるが、この工作物は強度が必要なので、角で重ね合わせて、リベット又はホッチキス又はインシュロックでしっかりと接合する。インシュロックを使用する時は、ＰＰ用両面テープを併用すると丈夫に出来る。
折り目の付け方も、強度が必要なので図１の部位Ｄと同じ方法を用いる。
８  夏休みの宿題として、星形や菱形や６角形の筒を用いた工作物を紹介する。
プラダンを用いた星形の筆立ての作り方
星形のプラダンの筒に底を取り付ければ、筆先どうしが接触しない筆立が出来る。
直径８センチ、高さ１２センチ位の星形の筒を作り、筒の下に粘土か石膏で厚さ４ｃｍの底を作る。底の中央に直径３センチ位の容器のキャップを埋め込む。筆の柄の先がキャップの中に納まるようにする。使用中の筆先が接触しない筆立てが出来る。
９  星型の筒の作り方を説明する。
簡単な方法は折り曲げる全ての角にＣの手法を用いて切込みを入れる。
星型の先端部分はプラダンの表面から、谷の部分は裏面から切込みを入れる。（交互になる）先端の折り曲げ部分の見栄えを良くしようと思えば、先端部分だけＡの手法を用いて９ｍｍ巾でライナーを剥がす。谷の部分はＣの手法を用いて切り込みを入れる。この場合は先端部も谷の部分もプラダンの同じ面に折り目を付ける。筒の接合は谷の部分で行う。フイルムをＶ字形に折り曲げ筒の内側から貼り合わせる。
１０  プラダンを用いた星形や６角形の灯篭の作り方。
従来、天神祭等の灯篭は箱形が多いが、星形や６角形のプラダンの灯篭に装飾しても面白い。
プラダンにカッターナイフで模様を切り抜きカラーフイルムを内側から張り  ステンドグラス風に仕上げ、筒の中にＬＥＤ電球を取り付ける。
取り付け方法はプラダンの帯（７ｃｍ位の巾）を図４の手法を用いてＬＥＤ電球が筒の中央に来るよう適切な形状に加工し、両面テープで固定する。亜鉛版を使用しリべットで取り付けると丈夫な物が出来る。
灯篭に台を取り付けるならその帯を利用して取り付ける。
絵柄を切り抜く時は厚み３ｍｍのプラダンを使うと切り抜き安い。厚み３ｍｍのプラダンは市販で白色しか手に入らないと思われるので、黒のプラダンをオーダーしてアルミ線とカラーフイルム等をセットにして支給すると良い。
（二）プラダンの折り目の付け方について説明する。
プラダンの折り目の付け方は次の３通りある。
１  段ボール箱と同じ普通の折り目の付け方。
工場では機械で折り目を付けるが、家庭では当て金をしてハンマーで叩いて折り目を付ける。
手間が掛るが丈夫である。
図１の部位Ｄの様なところに用いる。
２  カッターナイフで切込みを入れて曲げる方法。
リブに直角に折り曲げる時は、曲げる外側に切り込みを入れる。
リブに平行に折り曲げる時は、曲げる内側に切り込みをいれる。
一番簡単な方法であり、寸法どおりの加工が出来るが強度は弱い。
図８の部位Ｃの様なところに用いる。
３  プラダンの折り曲げる内側のライナーを剥がして曲げる方法
プレスで曲げるのとは異なり、角にふくらみが出来るので装飾的な工作物に使用する。
（ホ）以下、プラダンのライナーの剥し方を説明する。
プラダンは２枚のライナーの間にリブが通っているのでリブに直角に曲げる時と平行に曲る時とでは、ライナーの剥し方が異なる。
１  プラダンのリブに対し直角に曲げる時のライナーの剥し方を説明する。
図５に示すように、約１ｃｍ間隔でカッターナイフで２本の切り込みを入れる。右側の切り込み部を折り曲げ、作業台の角に当てがう。魚を３枚におろす要領でライナーを切り取る。
この時、プラダンを直接手で押さえるとカッターが滑ったら手を切る恐れがある。布か当て木をしてその上から押さえると安全である。
図３はライナーを剥がして、リブの間にアルミ線を通した状態を示した図である。
折り曲げると図２の部位Ａの様なふくらみが有る折り曲げ方が出来る。
２  プラダンのリブに平行に折り曲げる時のライナーの剥し方を説明する。
切り取るリブの両側にカッターナイフで切り目を入れて折り曲げると図６の様になる。
切り取るライナーとリブがＴ字型に飛び出すのではさみで切り取る。切り取った面が内側になる様に折り返すとふくらみの有る折り返しが出来る。
図１の部位Ｂの様なところに用いする。
（ヘ）  図１の雑貨入れの作り方を説明する。
図１の完成品は図２の胴体と図１５の両側面の板２枚で構成されている。
プラダンは厚み４ｍｍを用いる。アルミ線は２．５ｍｍを用いる。
図２の符号５の吊り金具は、底と側面の折り曲げに使用したアルミ線を本体の外まで延長して作ったものである。吊り鉢として使用するなら鎖を取り付ける。
（ト）  図７の縦型ティシュケースの作り方を説明する。
メーカーにより箱のサイズが異なるが、箱の厚みは後ろ側にライナーを入れることにより、少しぐらいなら調整出来る。
工作方法は図８に示す展開図のように折り目を付けてアルミ線を入れて折り曲げる。
アルミ線の線径は２．５ｍｍを使う。プラダンの厚みは４ｍｍを使用する。
本縦型ティッシュケースは、待合室等のルームアクセサリーとして利用する。
（ト）  棚板の作り方について説明する。
図６の手法を３回繰り返して、ライナーの剥がす巾を広げ、二つ折りにして別のプラダン又は合板を挟み込めば、図１１の様な丈夫で清潔な棚板が出来る。
カッターナイフで簡単に寸法切りが出来る。
木材と違い、のこぎりは必要なく木屑も出ないし塗装の必要もない。
食器棚の棚板等に利用できる。棚板を増設する場合、図４の基本の手法を用いて、棚の構造に合わせた棚受けを作り取り付ける。
【符号の説明】
【００１０】Ａ  ライナーを剥がしリブに直角に曲げる手法
Ｂ  ライナーを剥がしリブに平行に曲げる手法
Ｃ  カッターで切り込みを入れて折り曲げる手法
Ｄ  プレスによる折り曲げる手法
１    プラダン
２    アルミ線
３    リブ
４    ライナー
５    釣り金具
６    接合用フイルム
７    ティシュボックス
８    フレーム
９    Ｕピン
１０  ベース
【図１】
2018108862.tif 000003
【図２】
2018108862.tif 000004
【図３】
2018108862.tif 000005
【図４】
2018108862.tif 000006
【図５】
2018108862.tif 000007
【図６】
2018108862.tif 000008
【図７】
2018108862.tif 000009
【図８】
2018108862.tif 000010
【図９】
2018108862.tif 000011
【図１０】
2018108862.tif 000012
【図１１】
2018108862.tif 000013
【図１２】
2018108862.tif 000014
【図１３】
2018108862.tif 000015
【図１４】
2018108862.tif 000016